(57)【要約】【課題】  カラオケ装置に搭載されているコンテンツの認知度を高めることにより、特に利用頻度の低いコンテンツの利用を促進して、カラオケ利用者を一層楽しませる。【解決手段】  コンテンツ実行頻度集計手段４５により、各コンテンツの実行頻度を集計し、コンテンツ広告情報出力判定手段４６により、集計した各コンテンツの実行頻度と規定値とを比較する。そして、実行頻度が規定値以下のコンテンツについて、その広告情報を出力する旨の判定を行い、コンテンツ広告情報出力制御手段４７により、実行頻度が規定値以下のコンテンツの広告情報を出力する。【選択図】図１
2012118287.tif 000002
【特許請求の範囲】
【請求項１】
利用者が利用可能なコンテンツが複数搭載され、カラオケ演奏が行われていない曲間に、前記各コンテンツの広告情報を出力可能なシステムであって、
コンテンツ実行頻度集計手段と、コンテンツ広告情報データベースと、コンテンツ広告情報出力判定手段と、コンテンツ広告情報出力制御手段と、を備え、
前記コンテンツ実行頻度集計手段は、前記各コンテンツの実行頻度をそれぞれ集計し、
前記コンテンツ広告情報データベースは、前記各コンテンツの広告情報を格納し、
前記コンテンツ広告情報出力判定手段は、前記各コンテンツの実行頻度と規定値とを比較して、実行頻度が規定値以下のコンテンツについて広告情報を出力する旨の判定を行い、
前記コンテンツ広告情報出力制御手段は、前記広告情報を出力する旨の判定が行われたコンテンツについて、前記コンテンツ広告情報データベースに格納された広告情報を出力する、
ことを特徴とするカラオケ演奏曲間におけるコンテンツ広告システム。
【請求項２】
広告情報出力頻度集計手段をさらに備え、
前記広告情報出力頻度集計手段は、前記各広告情報の出力頻度をそれぞれ集計し、
前記コンテンツ広告情報出力判定手段は、前記各コンテンツの実行頻度が規定値以下であると判定されたコンテンツであっても、前記広告情報の出力頻度の集計値が規定値以上のコンテンツについては、当該コンテンツの広告情報を出力する旨の判定を行わない、
ことを特徴とする請求項１に記載のカラオケ演奏曲間におけるコンテンツ広告システム。
【発明の詳細な説明】
【技術分野】
【０００１】
本発明は、利用者が利用可能なコンテンツが複数搭載され、カラオケ演奏が行われていない曲間に、各コンテンツの広告情報を出力可能なシステムに関するものである。
【背景技術】
【０００２】
近年のカラオケ装置には、カラオケ演奏だけではなく、歌唱採点値の全国ランキング、歌唱録音、占い、ゲーム等、様々なコンテンツが搭載されており、利用者を楽しませることができるようになっている（例えば、特許文献１参照）。
【０００３】
また、演奏予約が行われていない場合や、一の楽曲の演奏が終了してから次の楽曲の演奏が開始されるまでの合間（いわゆる曲間）に、新曲情報、イベント開催情報等、様々な広告を表示することができるようになっている（例えば、特許文献２参照）。
【先行技術文献】
【特許文献】
【０００４】
【特許文献１】特開２００３−１０８１６１号公報
【特許文献２】特開２００５−２１５３０５号公報
【発明の概要】
【発明が解決しようとする課題】
【０００５】
上述したように、カラオケ装置において、種々のコンテンツを利用できるといっても、利用者の主たる目的はカラオケ演奏を伴奏として歌唱を行うことであり、ゲーム等のコンテンツの利用頻度は低いのが現状である。これでは、せっかく利用者を楽しませるためにコンテンツを搭載しているにもかかわらず、その目的を達成できないことになる。コンテンツの利用頻度が低い原因の一つとして、カラオケ装置にコンテンツが搭載されていることを利用者が認知しておらず、あるいはコンテンツが搭載されていることを認知していたとしても、どのようなコンテンツがあるのかを認知していないことが考えられる。
【０００６】
そこで、コンテンツの利用促進を図るためには、コンテンツの広告を行い、コンテンツが搭載されていることを利用者に周知させる必要がある。しかしながら、闇雲にコンテンツの広告を行えばよいというものではなく、特に利用者の認知度が低いコンテンツ、すなわち、利用頻度が低いコンテンツについて広告を行うことが効果的である。
【０００７】
本発明は、上述した事情に鑑み提案されたもので、カラオケ装置に搭載されているコンテンツの認知度を高めることにより、特に利用頻度の低いコンテンツの利用を促進して、カラオケ利用者を一層楽しませることが可能なカラオケ演奏曲間におけるコンテンツ広告システムを提供することを目的とする。
【課題を解決するための手段】
【０００８】
本発明のカラオケ演奏曲間におけるコンテンツ広告システムは、上述した目的を達成するため、以下の特徴点を有している。すなわち、本発明のカラオケ演奏曲間におけるコンテンツ広告システムは、利用者が利用可能なコンテンツが複数搭載され、カラオケ演奏が行われていない曲間に、各コンテンツの広告情報を出力可能なシステムであって、コンテンツ実行頻度集計手段と、コンテンツ広告情報データベースと、コンテンツ広告情報出力判定手段と、コンテンツ広告情報出力制御手段と、を備えたことを特徴とするものである。
【０００９】
コンテンツ実行頻度集計手段は、各コンテンツの実行頻度をそれぞれ集計するための手段である。コンテンツ広告情報データベースは、各コンテンツの広告情報を格納ためのデータベースである。コンテンツ広告情報出力判定手段は、各コンテンツの実行頻度と規定値とを比較して、実行頻度が規定値以下のコンテンツについて広告情報を出力する旨の判定を行うための手段である。コンテンツ広告情報出力制御手段は、広告情報を出力する旨の判定が行われたコンテンツについて、コンテンツ広告情報データベースに格納された広告情報を出力するための手段である。
【００１０】
このような構成からなるカラオケ演奏曲間におけるコンテンツ広告システムでは、コンテンツ実行頻度集計手段により、各コンテンツの実行頻度を集計する。そして、コンテンツ広告情報出力判定手段により、集計した各コンテンツの実行頻度と規定値とを比較し、実行頻度が規定値以下のコンテンツについて、その広告情報を出力する旨の判定を行う。コンテンツ広告情報データベースには、各コンテンツの広告情報が格納されており、コンテンツ広告情報出力制御手段により、実行頻度が規定値以下のコンテンツであって、広告情報を出力する旨の判定が行われたコンテンツについて、曲間に広告情報を出力する。広告情報は、広告映像として表示装置により表示され、また、広告音声としてスピーカから発生される。
【００１１】
また、上述した構成からなるカラオケ演奏曲間におけるコンテンツ広告システムにおいて、広告情報出力頻度集計手段をさらに備えることが好ましい。広告情報出力頻度集計手段は、各広告情報の出力頻度をそれぞれ集計するための手段である。そして、コンテンツ広告情報出力判定手段は、各コンテンツの実行頻度が規定値以下であると判定されたコンテンツであっても、広告情報の出力頻度の集計値が規定値以上のコンテンツについては、当該コンテンツの広告情報を出力する旨の判定を行わない。
【００１２】
このような構成からなるカラオケ演奏曲間におけるコンテンツ広告システムでは、広告情報出力頻度集計手段により、コンテンツの広告情報の出力頻度を集計する。そして、コンテンツ広告情報出力判定手段は、広告情報の出力頻度の集計値が規定値以上のコンテンツについては、その実行頻度が規定値以下であっても、当該コンテンツの広告情報を出力させないようにする。
【発明の効果】
【００１３】
本発明のカラオケ演奏曲間におけるコンテンツ広告システムによれば、コンテンツの実行頻度が規定値以下の場合には、曲間にそのコンテンツの広告情報を出力するので、特に利用頻度が低いコンテンツについての認知度を上げて利用促進を図ることができ、カラオケ利用者を一層楽しませることが可能となる。すなわち、利用者による認知度が低いコンテンツを自動的に認識し、曲間に当該コンテンツの広告映像や広告音声を選択的に出力させることで、当該コンテンツの認知度を高めて、利用の促進を図ることが可能となる。
【００１４】
また、広告情報の出力頻度が規定値以上のコンテンツについては、利用頻度が低い場合であっても、それ以上、広告情報の出力を行わせない構成とした場合には、広告効果が低いコンテンツについては無駄な広告が行われないので、さらに一層、コンテンツの広告効果を高めることが可能となる。すなわち、認知度を上げるための操作を行ったにも拘わらず、利用が促進されないコンテンツについては、元来、人気のないコンテンツと判断することで、無用な広告を行う必要がなくなり、広告効果を高めることが可能となる。
【図面の簡単な説明】
【００１５】
【図１】本発明の実施形態に係るカラオケ演奏曲間におけるコンテンツ広告システムの主要部を示すブロック図。
【図２】本発明の実施形態に係るカラオケ演奏曲間におけるコンテンツ広告システムの構成を示すブロック図。
【図３】コンテンツ別実行頻度管理テーブルの構成を示す概念図。
【図４】広告情報出力頻度管理テーブルの構成を示す概念図。
【図５】実施例１のコンテンツ実行頻度加算処理を示すフローチャート。
【図６】実施例１の広告情報出力判定処理を示すフローチャート。
【図７】実施例１の広告情報出力処理を示すフローチャート。
【図８】実施例２のコンテンツ実行頻度加算処理を示すフローチャート。
【図９】実施例２の広告情報出力頻度加算処理を示すフローチャート。
【図１０】実施例２の広告情報出力判定処理を示すフローチャート。
【図１１】実施例２の広告情報出力処理を示すフローチャート。
【発明を実施するための形態】
【００１６】
以下、図面を参照して、本発明のカラオケ演奏曲間におけるコンテンツ広告システム（以下、コンテンツ広告システムと略記する）の実施形態について説明する。図１〜図３は本発明の実施形態に係るコンテンツ広告システムを示すもので、図１はコンテンツ広告システムの主要部を示すブロック図、図２はコンテンツ広告システムの構成を示すブロック図、図３はコンテンツ別実行頻度管理テーブルの構成を示す概念図、図４は広告情報出力頻度管理テーブルの構成を示す概念図である。また、図５〜図７は実施例１の制御処理を示すフローチャート、図８〜図１１は実施例２の制御処理を示すフローチャートである。
【００１７】
＜システムの概要＞
本発明の実施形態に係るコンテンツ広告システム１０は、例えば、図１及び図２に示すように、歌唱採点値の全国ランキング、歌唱録音、占い、ゲーム等の種々のコンテンツが搭載されたカラオケ演奏端末２１に適用されるもので、カラオケ演奏が行われていない曲間に、各コンテンツの広告映像を表示装置２５にて表示すると共に、広告音声をスピーカ２３から発生させるようになっている。このコンテンツ広告システム１０は、カラオケ演奏を実行するための手段の他に、コンテンツを実行するための手段と、コンテンツ広告情報を出力するための手段と、コンテンツ広告情報を受信するための手段とを備えている。なお、コンテンツ広告情報とは、コンテンツを広告するための映像データ及び音声データのことであり、コンテンツ毎に、いずれか一方あるいは双方のデータを含んで構成される。
【００１８】
コンテンツを実行するための手段は、図１及び図２に示すように、コンテンツデータベース（コンテンツＤＢ）３５ｃと、課金／非課金設定手段４１と、コンテンツ選択手段４２と、課金処理手段４３と、コンテンツ実行手段４４とからなる。また、コンテンツ広告情報を出力するための手段は、コンテンツ実行頻度集計手段４５と、コンテンツ別実行頻度管理テーブル（コンテンツ別実行頻度管理Ｔ）３５ｅと、コンテンツ広告情報データベース（コンテンツ広告情報ＤＢ）３５ｄと、コンテンツ広告情報出力判定手段４６と、コンテンツ広告情報出力制御手段４７とからなり、さらに広告情報出力頻度集計手段４８と、広告情報出力頻度管理テーブル（広告情報出力頻度管理テーブルＴ）３５ｆとを付加してもよい。また、コンテンツ広告情報を受信するための手段は、コンテンツ広告情報取得手段３６からなる。
【００１９】
＜コンテンツデータベース＞
コンテンツデータベース３５ｃは、カラオケ演奏端末２１で実行可能な複数のコンテンツデータを格納したデータベースであり、例えば、歌唱採点値の全国ランキング、歌唱録音、占い、ゲーム等のコンテンツデータが格納されている。なお、コンテンツデータは、予めコンテンツデータベース３５ｃに格納しておいてもよいし、カラオケサーバ５０と通信を行うことにより、適宜ダウンロードしてもよい。また、コンテンツデータベース３５ｃは、適宜、新たなコンテンツデータを追加したり、不要となったコンテンツデータを消去したり、バージョンアップを行ったりすることができる。
【００２０】
＜課金／非課金設定手段＞
課金／非課金設定手段４１は、各コンテンツについて、課金するか否か、課金する場合の料金等を設定するためのプログラムからなり、サービス要員等が所定の操作を行うことにより、その入力情報に基づいて、コンテンツ毎に、課金／非課金及び料金を設定することができる。
【００２１】
＜コンテンツ選択手段＞
コンテンツ選択手段４２は、カラオケ利用者が所定の操作を行うことにより、その入力情報に基づいて、コンテンツデータベース３５ｃから利用者が所望するコンテンツを選択するためのプログラムからなる。カラオケ利用者によるコンテンツの選択入力は、例えば、カラオケリモコン装置２２の入出力表示部（図示せず）のアイコン操作により行われる。
【００２２】
＜課金処理手段＞
課金処理手段４３は、選択されたコンテンツについて課金処理を行うためのプログラムからなり、コンテンツ毎に設定された料金（無料の場合を含む）を徴収するための処理が行われる。コンテンツ料金の徴収は、複数のカラオケ演奏端末２１を管理する管理サーバ（図示せず）により管理し、利用者が退店する際に精算要求をしてもよいし、店舗管理者（店舗経営者）に対して請求してもよいし、カラオケ演奏端末２１に付帯された料金徴収システム（課金ボックス等）を利用して、コンテンツを実行する際に現金やプリペイドカードによる精算を行ってもよい。
【００２３】
＜コンテンツ実行手段＞
コンテンツ実行手段４４は、コンテンツ選択手段４２により選択され、課金処理手段４３により課金処理が行われたコンテンツを、コンテンツデータベース３５ｃから呼び出して実行するためのプログラムからなる。コンテンツ実行手段４４で実行されるコンテンツの種別に応じて、使用される機器が異なる。例えば、ゲームや占い等は、カラオケリモコン装置２２の入出力表示部（図示せず）を用いてコンテンツが実行され、歌唱録音は、カラオケ演奏端末２１に付帯して設けたＣＤデッキやＤＶＤデッキ等（図示せず）を用いて実行され、歌唱採点値の全国ランキングは、ネットワーク接続されたカラオケサーバ５０の機能を用いて実行される。
【００２４】
＜コンテンツ実行頻度集計手段／コンテンツ別実行頻度管理テーブル＞
コンテンツ実行頻度集計手段４５は、各コンテンツが実行される毎に、その実行頻度をそれぞれ集計するためのプログラムからなり、集計結果は、コンテンツ別実行頻度管理テーブル３５ｅにて管理される。コンテンツ別実行頻度管理テーブル３５ｅは、ＨＤＤ３５に格納されており、図３に示すように、コンテンツ別に、コンテンツＩＤ、規定値（実行頻度の基準値）、実行頻度、広告出力フラグを紐付けして構成されている。
【００２５】
＜コンテンツ広告情報データベース＞
コンテンツ広告情報データベース３５ｄは、各コンテンツの広告情報を格納したデータベースであり、本実施形態では、コンテンツ広告情報取得手段３６により、カラオケサーバ５０から送信されてくるコンテンツ広告情報を取得することにより、コンテンツ広告情報データベース３５ｄが構築される。
【００２６】
＜コンテンツ広告情報出力判定手段＞
コンテンツ広告情報出力判定手段４６は、各コンテンツの実行頻度と規定値とを比較して、実行頻度が規定値以下のコンテンツについて広告情報を出力する旨の判定を行うためのプログラムからなる。すなわち、コンテンツ広告情報出力判定手段４６は、コンテンツ別実行頻度管理テーブル３５ｅを参照し、実行頻度が規定値以下のコンテンツについて、広告情報を出力するための広告出力フラグを立てる。なお、コンテンツ別実行頻度管理テーブル３５ｅにおける規定値は、サービス要員等が所定の操作を行うことにより、その入力情報に基づいて設定されるが、すべてのコンテンツに対して一律の値を設定してもよいし、コンテンツ毎に個別の値を設定してもよい。また、規定値を設定するのではなく、実行頻度が少ない所定数のコンテンツについて広告出力フラグを立ててもよい。
【００２７】
＜コンテンツ広告情報出力制御手段＞
コンテンツ広告情報出力制御手段４７は、広告情報を出力する旨の判定が行われたコンテンツ（広告出力フラグが立っているコンテンツ）について、コンテンツ広告情報データベース３５ｄに格納された広告情報を出力するためのプログラムからなる。すなわち、コンテンツ広告情報出力制御手段４７は、コンテンツ別実行頻度管理テーブル３５ｅを参照して、広告出力フラグが立っているコンテンツについて、コンテンツ広告情報データベース３５ｄから広告情報を呼び出し、曲間に出力させるための制御を行う。なお、広告情報の出力とは、表示装置２５にて広告映像を表示し、あるいはスピーカ２３から広告音声を発生させることである。
【００２８】
また、各コンテンツの実行頻度が規定値以下であっても、広告情報の出力頻度の集計値が規定値以上のコンテンツについては、当該コンテンツの広告情報を出力する旨の判定を行わないような構成としてもよい。すなわち、広告情報の出力頻度が規定値以上のコンテンツについては、利用頻度が低い場合であっても、それ以上、広告情報の出力を行わせない。なお、表示装置２５を直接制御して広告情報を出力するのは、映像再生制御手段４０の機能であり、ミキシングアンプ２６を直接制御してスピーカ２３から広告音声を発生させるのは音楽再生制御手段３９である。
【００２９】
＜広告情報出力頻度集計手段／広告情報出力頻度管理テーブル＞
広告情報出力頻度集計手段４８は、各広告情報が出力される毎に、その出力頻度をそれぞれ集計するためのプログラムからなり、集計結果は、広告情報出力頻度管理テーブル３５ｆにて管理される。コンテンツ別実行頻度管理テーブル３５ｅは、ＨＤＤ３５に格納されており、図４に示すように、コンテンツ別に、コンテンツＩＤ、出力頻度、判定フラグが紐付けして構成されている。なお、判定フラグは、コンテンツ別実行頻度管理テーブル３５ｅにおいて広告出力フラグが立っていても、当該コンテンツについては、広告情報を出力させないことを表すフラグである。
【００３０】
＜コンテンツ広告情報取得手段＞
コンテンツ広告情報取得手段３６は、カラオケサーバ５０から送信されてくるコンテンツ広告情報を取得するためのプログラムからなる。コンテンツ広告情報取得手段３６により取得したコンテンツ広告情報は、コンテンツ広告情報データベース３５ｄに格納される。
【００３１】
＜コンテンツ広告システム＞
本発明の実施形態に係るコンテンツ広告システム１０は、図２に示すように、カラオケ演奏端末２１、カラオケリモコン装置２２、スピーカ２３、ミキシングアンプ２６、マイクロホン２４、表示装置２５を備えている。
【００３２】
＜カラオケリモコン装置＞
カラオケリモコン装置２２は、ユーザインタフェース機能を備えており、カラオケ演奏端末２１の送受信手段との間で有線方式又は無線方式によりデータの送受信を行うようになっている。このカラオケリモコン装置２２は、楽曲検索手段２２ａとして機能するプログラム、楽曲索引データベース２２ｂ、データの送受信を行うための電子回路及びプログラム、フラッシュメモリ等からなる記憶手段（図示せず）を備えている。このカラオケリモコン装置２２に付帯するスイッチ類や、入出力表示部（図示せず）に表示される各種のアイコン等を操作することにより、選曲操作等が行われる。
＜楽曲検索手段／楽曲索引データベース＞
楽曲検索手段２２ａは、利用者の指示に基づき、楽曲索引データベース２２ｂを参照して楽曲を検索するためのプログラムからなる。楽曲索引データベース２２ｂは、カラオケ演奏端末２１で演奏に供されるカラオケ楽曲について、その属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。
【００３３】
＜マイクロホン＞
マイクロホン２４は、歌唱音声の入力を行うための装置である。マイクロホン２４から入力された歌唱音声信号は、ミキシングアンプ２６により、音楽再生制御手段３９から送出される演奏音声信号とミキシングされると共に増幅され、スピーカ２３へ出力される。なお、マイクロホン２４からの音声入力信号を、Ａ／Ｄコンバータ（図示せず）によりデジタル変換して、歌唱採点手段における採点等に使用してもよい。
【００３４】
＜表示装置＞
表示装置２５は、カラオケ楽曲に関連した背景映像や歌詞テロップ、広告映像等を表示するための装置で、例えば、液晶ディスプレイ等により構成される。
【００３５】
＜カラオケ演奏端末＞
カラオケ演奏端末２１は、図２に示すように、ネットワーク送受信手段３１、中央制御手段３２、ＲＯＭ３３、ＲＡＭ３４、ＨＤＤ３５、ローカル送受信手段３７、予約管理手段３８、音楽再生制御手段３９、映像再生制御手段４０を備えている。さらに、本実施形態では、上述したように、コンテンツを実行するための手段として、コンテンツデータベース３５ｃと、課金／非課金設定手段４１と、コンテンツ選択手段４２と、課金処理手段４３と、コンテンツ実行手段４４とを備えており、コンテンツ広告情報を出力するための手段として、コンテンツ実行頻度集計手段４５と、コンテンツ別実行頻度管理テーブル３５ｅと、コンテンツ広告情報データベース３５ｄと、コンテンツ広告情報出力判定手段４６と、コンテンツ広告情報出力制御手段４７と、広告情報出力頻度集計手段４８と、広告情報出力頻度管理テーブル３５ｆを備えており、コンテンツ広告情報を受信するための手段として、コンテンツ広告情報取得手段３６を備えている。
【００３６】
＜中央制御手段＞
中央制御手段３２は、カラオケ演奏端末２１を総合的に制御するための手段であり、例えばＣＰＵ及びその周辺機器により構成されており、ＣＰＵ等がＲＯＭ３３等に記憶されたプログラムに従って動作することにより、制御機能を発揮することができるようになっている。
【００３７】
＜ＲＯＭ／ＲＡＭ＞
ＲＯＭ３３は、カラオケ演奏端末２１を構成する各機器を制御するためのプログラムデータや数値データを記憶するための機器で、例えば半導体メモリ等で構成される。また、ＲＡＭ３４は、プログラムや各種データを一時的に記憶する一時記憶領域として機能するもので、例えば半導体メモリ等で構成される。なお、物理的な半導体メモリによりＲＡＭ３４を構成するのではなく、ハードディスク記憶装置等を用いて仮想的なＲＡＭ３４を構成してもよい。本実施形態では、ＲＡＭ３４に、予約待ち行列３４ａが記憶されるようになっている。なお、予約待ち行列３４ａは、選曲予約されたカラオケ楽曲について、演奏順に楽曲ＩＤを並べて構成されたデータテーブルであり、選曲者の利用者ＩＤ等、他の識別データが紐付けられている場合もある。
【００３８】
＜ＨＤＤ＞
ＨＤＤ３５は、大容量記憶装置として機能するもので、楽曲データベース３５ａ、映像データベース３５ｂ、コンテンツデータベース３５ｃ、コンテンツ広告情報データベース３５ｄ、コンテンツ別実行頻度管理テーブル３５ｅ、広告情報出力頻度管理テーブル３５ｆが格納されている。なお、ＨＤＤ３５に替えて、あるいはＨＤＤ３５と共に、データを書き替え可能なＤＶＤ等の大容量記憶装置を用いてもよい。
【００３９】
＜楽曲データベース／映像データベース＞
楽曲データベース３５ａは、演奏データ（ＭＩＤＩ（登録商標）データ）及び歌詞描出データが同期されて構成される楽曲データについて、楽曲ＩＤと対応付けてそれぞれ構成されたデータベースである。演奏データは、各楽曲の演奏を制御するためのデジタルデータであり、歌詞描出データは演奏に同期した歌詞文字の表示タイミングデータ及び色変わりデータを含んでいる。映像データベース３５ｂは、演奏されるカラオケ楽曲に対応してデフォルト表示される背景映像を、当該カラオケ楽曲の楽曲ＩＤに対応させた映像ファイルとして所定数格納したデータベースである。
【００４０】
＜送受信手段＞
ネットワーク送受信手段３１は、カラオケサーバ５０との間で、データの送受信を行うための電子回路及びプログラムからなる。ローカル送受信手段３７は、カラオケ演奏端末２１とカラオケリモコン装置２２との間で、データの送受信を行うための電子回路及びプログラムからなる。本実施形態では、赤外線通信により、カラオケ演奏端末２１とカラオケリモコン装置２２との間でデータの送受信が行われる。
【００４１】
＜予約管理手段＞
予約管理手段３８は、利用者により楽曲検索手段２２ａの機能を用いて選曲された楽曲ＩＤを演奏順に並べて予約待ち行列３４ａを生成し、この予約待ち行列３４ａをＲＡＭ３４に格納して管理するためのプログラムからなる。
【００４２】
＜音楽再生制御手段＞
音楽再生制御手段３９は、楽曲ＩＤに基づいて楽曲データベース３５ａから抽出された演奏データに基づいて、音源データをデジタル再生すると共にアナログ変換してミキシングアンプ２６に出力するための電子回路である。上述したように、ミキシングアンプ２６は、マイクロホン２４から入力された歌唱者の歌唱音声信号と、音楽再生制御手段３９から送出される演奏音声信号とをミキシングすると共に、アンプ機能により増幅してスピーカ２３より出力させるための装置である。また、本実施形態の音楽再生制御手段３９は、広告音声をミキシングアンプ２６に出力する機能を備えている。
【００４３】
＜映像再生制御手段＞
映像再生制御手段４０は、カラオケ楽曲を演奏する際に、映像データベース３５ｂから抽出した当該カラオケ楽曲の背景映像データと、演奏データに含まれる歌詞描出データに基づいて生成される歌詞文字とを、当該カラオケ楽曲の演奏データに同期させて表示装置２５に出力するためのプログラムからなる。また、本実施形態の映像再生制御手段４０は、広告映像を表示装置２５に出力する機能を備えている。
【００４４】
＜制御処理／実施例１＞
実施例１の制御処理は、各コンテンツの実行頻度に応じて、広告情報の表示を制御するものであり、コンテンツ実行頻度加算処理と、広告情報出力判定処理と、広告情報出力処理とからなる。
【００４５】
実施例１のコンテンツ実行頻度加算処理では、図５に示すように、コンテンツが実行されると（Ｓ１−１）、コンテンツ実行頻度集計手段４５の機能により、コンテンツ別実行頻度管理テーブル３５ｅにおいて、当該コンテンツの実行頻度に「１」を加算する（Ｓ１−２）。
【００４６】
また、実施例１の広告情報出力判定処理では、図６に示すように、コンテンツ広告情報出力判定手段４６の機能により、コンテンツ別実行頻度管理テーブル３５ｅを参照して、当該コンテンツの実行頻度と規定値とを比較する（Ｓ１−３）。そして、当該コンテンツの実行頻度が規定値以下か否かを判定し（Ｓ１−４）、実行頻度が規定値以下の場合には、コンテンツ別実行頻度管理テーブル３５ｅにおいて、当該コンテンツの広告出力フラグを立てる（Ｓ１−５）。一方、実行頻度が規定値を超えている場合には、広告情報を表示する必要はないので、当該コンテンツの広告出力フラグを外す（Ｓ１−６）。
【００４７】
また、実施例１の広告情報出力処理では、図７に示すように、コンテンツ広告情報出力制御手段４７の機能により、広告出力フラグが立っているコンテンツがあるか否かを判断し（Ｓ１−７）、広告出力フラグが立っているコンテンツがある場合には、コンテンツ広告情報データベース３５ｄから当該コンテンツの広告情報を呼び出して、曲間に出力する（Ｓ１−８）。なお、曲間とは、演奏予約が行われていない場合や、一の楽曲の演奏が終了してから次の楽曲の演奏が開始されるまでの合間のことである（実施例２において同様）。
【００４８】
＜制御処理／実施例２＞
実施例２の制御処理は、各コンテンツの実行頻度と各広告情報の出力頻度に応じて、広告情報の表示を制御するものであり、コンテンツ実行頻度加算処理と、広告情報出力頻度加算処理と、広告情報出力判定処理と、広告情報出力処理とからなる。
【００４９】
実施例２のコンテンツ実行頻度加算処理では、図８に示すように、コンテンツが実行されると（Ｓ２−１）、コンテンツ実行頻度集計手段４５の機能により、コンテンツ別実行頻度管理テーブル３５ｅにおいて、当該コンテンツの実行頻度に「１」を加算する（Ｓ２−２）。
【００５０】
また、実施例２の広告情報出力頻度加算処理では、図９に示すように、広告情報が出力されると（Ｓ２−３）、広告情報出力頻度集計手段４８の機能により、コンテンツ別実行頻度管理テーブル３５ｅにおいて、当該コンテンツの広告情報の出力頻度に「１」を加算する（Ｓ２−４）。
【００５１】
また、実施例２の広告情報出力判定処理では、図１０に示すように、コンテンツ広告情報出力判定手段４６の機能により、コンテンツ別実行頻度管理テーブル３５ｅを参照して、当該コンテンツの実行頻度と規定値とを比較する（Ｓ２−５）。そして、当該コンテンツの実行頻度が規定値以下か否かを判定し（Ｓ２−６）、実行頻度が規定値を超えている場合には、広告情報を表示する必要はないので、当該コンテンツの広告出力フラグを外す（Ｓ２−１０）。
【００５２】
一方、実行頻度が規定値以下の場合には、さらに、広告情報出力頻度管理テーブル３５ｆを参照して、当該コンテンツの広告情報の出力頻度と規定値とを比較する（Ｓ２−７）。そして、当該コンテンツの広告情報の出力頻度が規定値以上か否かを判定し（Ｓ２−８）、出力頻度が規定値未満の場合には、コンテンツ別実行頻度管理テーブル３５ｅにおいて、当該コンテンツの広告出力フラグを立てる（Ｓ２−９）。また、広告情報の出力頻度が規定値以上の場合には、広告情報を表示しても効果がない可能性が高いため、当該コンテンツの広告出力フラグを外す（Ｓ２−１０）。
【００５３】
実施例２の広告情報出力処理では、図１１に示すように、コンテンツ広告情報出力制御手段４７の機能により、広告出力フラグが立っているコンテンツがあるか否かを判断し（Ｓ２−１１）、広告出力フラグが立っているコンテンツがある場合には、コンテンツ広告情報データベース３５ｄから当該コンテンツの広告情報を呼び出して、曲間に出力する（Ｓ２−１２）。
【００５４】
＜他の実施形態＞
本発明のシステム及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。さらに、カラオケ演奏端末２１をカラオケサーバ５０とネットワーク接続するのではなく、単体で動作させてもよい。
【符号の説明】
【００５５】
１０  コンテンツ広告システム
２１  カラオケ演奏端末
２２  カラオケリモコン装置
２２ａ  楽曲検索手段
２２ｂ  楽曲索引データベース
２３  スピーカ
２４  マイクロホン
２５  表示装置
２６  ミキシングアンプ
３１  ネットワーク送受信手段
３２  中央制御手段
３３  ＲＯＭ
３４  ＲＡＭ
３４ａ  予約待ち行列
３５  ＨＤＤ
３５ａ  楽曲データベース
３５ｂ  映像データベース
３５ｃ  コンテンツデータベース
３５ｄ  コンテンツ広告情報データベース
３５ｅ  コンテンツ別実行頻度管理テーブル
３５ｆ  広告情報出力頻度管理テーブル
３６  コンテンツ広告情報取得手段
３７  ローカル送受信手段
３８  予約管理手段
３９  音楽再生制御手段
４０  映像再生制御手段
４１  課金／非課金設定手段
４２  コンテンツ選択手段
４３  課金処理手段
４４  コンテンツ実行手段
４５  コンテンツ実行頻度集計手段
４６  コンテンツ広告情報出力判定手段
４７  コンテンツ広告情報出力制御手段
４８  広告情報出力頻度集計手段
５０  カラオケサーバ
【図１】
2012118287.tif 000003
【図２】
2012118287.tif 000004
【図３】
2012118287.tif 000005
【図４】
2012118287.tif 000006
【図５】
2012118287.tif 000007
【図６】
2012118287.tif 000008
【図７】
2012118287.tif 000009
【図８】
2012118287.tif 000010
【図９】
2012118287.tif 000011
【図１０】
2012118287.tif 000012
【図１１】
2012118287.tif 000013